(57)【要約】【課題】使用者の視認性を向上することができる照明装置及び照明システムを提供する。【解決手段】照明装置１は、使用者が移動動作していることを示す情報を取得するセンサ３から、情報を受信する。そして、照明装置１は、異なる色の光を発する光源モジュール２０と、センサ３を介して情報を受信すると、光源モジュール２０が発する光の色を交互に切り替えることで、視認性を向上させる視認性向上モードに遷移する制御部４とを備える。【選択図】図２
2018032527.tif 000002
【特許請求の範囲】
【請求項１】
使用者が移動動作していることを示す情報を取得する取得部から、前記情報を受信する照明装置であって、
異なる色の光を発する光源モジュールと、
前記取得部を介して前記情報を受信すると、前記光源モジュールが発する光の色を交互に切り替えることで、視認性を向上させる視認性向上モードに遷移する制御部とを備える
照明装置。
【請求項２】
前記光源モジュールは、それぞれが異なる色の光を発する複数の光源を有し、
前記制御部は、さらに、前記取得部を介して前記情報を受信すると、各々の前記光源が発する光の色のうち、一部の色の光を点滅させることで、視認性を向上させる前記視認性向上モードに遷移する
請求項１記載の照明装置。
【請求項３】
各々の前記光源が発する光の色のうち、一部の色の光が点滅する周波数は、１００Ｈｚ未満である
請求項２記載の照明装置。
【請求項４】
前記使用者の移動動作は、立ち座り、歩行及び寝返りの少なくともいずれかを含む
請求項２又は３記載の照明装置。
【請求項５】
使用者の指示に基づいて、前記制御部は、さらに、前記視認性向上モードに遷移する
請求項２〜４のいずれか１項に記載の照明装置。
【請求項６】
前記取得部は、撮像することによって前記情報を取得する画像センサを含む
請求項２〜５のいずれか１項に記載の照明装置。
【請求項７】
前記取得部を一体的に備える
請求項２〜６のいずれか１項に記載の照明装置。
【請求項８】
前記取得部は、前記照明装置と通信を行う通信機器であり、
前記通信機器は、前記使用者に関するユーザ情報を前記照明装置に送信し、
前記照明装置の前記制御部は、前記ユーザ情報に基づいて、各々の前記光源が発する光の色のうち、一部の色の光を点滅させるように制御する
請求項２〜６のいずれか１項に記載の照明装置。
【請求項９】
前記ユーザ情報に基づいて、前記使用者ごとに優先度が設定されている場合であって、前記通信機器と通信可能な室内に、前記使用者が複数名存在する場合、前記制御部は、優先度が最も高い前記使用者の前記ユーザ情報に基づいて、各々の前記光源が発する光の色のうち、一部の色の光を点滅させるように制御する
請求項８記載の照明装置。
【請求項１０】
請求項８又は９記載の照明装置と、前記取得部とを備え、
前記取得部は、前記照明装置とは独立した別体の装置である
照明システム。
【発明の詳細な説明】
【技術分野】
【０００１】
本発明は、照明装置及びこれを用いた照明システムに関し、特に、光の色を切り替える照明装置及びこれを用いた照明システムに関する。
【背景技術】
【０００２】
従来、発光ダイオード（光源の一例）と、発光ダイオードに流れる電流の周波数を制御する制御回路（制御部の一例）を備えた照明装置が開示されている（例えば特許文献１参照）。
【０００３】
この照明装置では、発光ダイオードに流れる電流の周波数を制御して発光ダイオードを点滅させることで、人に不安感等を与え、照明エリアに存在する人を退場させるような照明を行う。
【先行技術文献】
【特許文献】
【０００４】
【特許文献１】特開２０１２−６４５２５号公報
【発明の概要】
【発明が解決しようとする課題】
【０００５】
しかしながら、特許文献１の照明装置のように、光源から出射する光を点滅させることで、人に不安感等を与えることではなく、使用者の視認性を向上させることに利用したいという要望がある。
【０００６】
そこで、本発明は、使用者の視認性を向上することができる照明装置及び照明システムを提供することを目的とする。
【課題を解決するための手段】
【０００７】
上記目的を達成するため、本発明の一態様に係る照明装置は、使用者が移動動作していることを示す情報を取得する取得部から、前記情報を受信する照明装置であって、異なる色の光を発する光源モジュールと、前記取得部を介して前記情報を受信すると、前記光源モジュールが発する光の色を交互に切り替えることで、視認性を向上させる視認性向上モードに遷移する制御部とを備える。
【発明の効果】
【０００８】
本発明によれば、使用者の視認性を向上することができる。
【図面の簡単な説明】
【０００９】
【図１】実施の形態１に係る照明装置を示すブロック図である。
【図２】実施の形態１に係る照明装置の動作を示すフローチャートである。
【図３】実施の形態１に係る照明装置を使用者が入室している室内に設けた場合を示すイメージ図である。
【図４】実施の形態２に係る照明システムを示すブロック図である。
【図５】実施の形態２に係る照明システムの動作を示すフローチャートである。
【図６】実施の形態２に係る照明システムを使用者が入室している室内に設けた場合を示すイメージ図である。
【発明を実施するための形態】
【００１０】
（本発明の基礎となった知見）
一般的な照明装置において、例えば、交流駆動の周波数が、５０Ｈｚの場合には毎秒当たり１００回（点滅周波数が１００Ｈｚ）、６０Ｈｚの場合には毎秒当たり１２０回（点滅周波数が１２０Ｈｚ）の頻度で点滅が行われている。人間が感知することができる点滅は、１秒間に１００回未満、つまり、点滅周波数が約１００Ｈｚ未満であると知られているため、一般的な照明装置における点滅の頻度は、人間（使用者）の目に知覚されない又は知覚し難く設定されている。
【００１１】
一方で、ブロッカ・ザルツァー（Ｂｒｏｃａ−Ｓｕｌｚｅｒ）効果を利用した照明装置を用いることで、人間に心理的輝度を与えることが知られている。ブロッカ・ザルツァー効果とは、明るさの知覚に関する人間の生理的な視覚特性であり、点滅した光の時間によってその明るさの知覚が変化する現象である。
【００１２】
例えば、輝度を一定に保った光を使用者に照射した場合に、提示時間（点滅を行う時間）の増加に従い、見た目の明るさが提示時間と共に増加し、所定時間経過して極大値を迎えた後に下降し、やがて一定水準となる場合がある。特に、提示時間が５０ｍｓ〜１００ｍｓ程度の場合、使用者は、目で知覚した明るさの方が、物理的な輝度よりも明るく感じる。
【００１３】
このような観点から、光源が出射する光を点滅させることで、人に不安感等を与えることではなく、照明装置が発する光を所定時間だけ意図的に点滅させることで、使用者に目視し易いような知覚効果を与えたい。
【００１４】
そこで、本発明は、使用者の視認性を向上することができる照明装置及び照明システムを提供する。
【００１５】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１６】
なお、各図は模式図であり、必ずしも厳密に図示されたものではない。また、各図において、実質的に同一の構成に対しては同一の符号を付しており、重複する説明は省略または簡略化される場合がある。
【００１７】
以下、本発明の実施の形態に係る照明装置及び照明システムについて説明する。
【００１８】
（実施の形態１）
［構成］
まず、本実施の形態に係る照明装置１の構成について、図１を用いて説明する。
【００１９】
図１は、本実施の形態に係る照明装置１を示すブロック図である。
【００２０】
図１に示すように、照明装置１は、室内の天井に設けられ、室内を照明するとともに、室内における使用者の移動動作を検知する。照明装置１は、光源モジュール２０と、センサ３（取得部）と、制御部４と、電源部５と、操作部６とを備えている。
【００２１】
光源モジュール２０は、異なる色の光を発する装置であり、複数の光源２を有する。複数の光源２は、例えば、赤色光を発する複数の赤色光源２ａ（光源の一例）、緑色光を発する複数の緑色光源２ｂ（光源の一例）と、青色光を発する複数の青色光源２ｃ（光源の一例）とを有する。赤色光源２ａ、緑色光源２ｂ、及び青色光源２ｃは、いわゆるＳＭＤ（Ｓｕｒｆａｃｅ  Ｍｏｕｎｔ  Ｄｅｖｉｃｅ）型のＬＥＤ素子である。光源モジュール２０は、照明装置１に設けられている制御回路により制御されて点灯及び消灯を行う。また、光源モジュール２０は、制御回路が電源部５を制御して（電力の供給量を調節することで）調光制御（明るさの制御）及び調色制御（発光色の制御）が行われることで発光する。制御回路は、例えば、入力された信号に応じて、光源モジュール２０に供給する電流値等を制御するマイクロコンピュータ、プロセッサ、または専用回路等によって実現される。制御回路は、制御部４に設けられていてもよく、制御部４と別体であってもよい。以下、各々の光源２又は複数の光源２という場合は、赤色光源２ａ、緑色光源２ｂ、及び青色光源２ｃを含む意味で用いる。
【００２２】
なお、光源モジュール２０は、このような構成に限定されるものではなく、配線基板上にＬＥＤチップが直接的に実装されたＣＯＢ（Ｃｈｉｐ  Ｏｎ  Ｂｏａｒｄ）型のモジュールが用いられてもよい。
【００２３】
なお、光源モジュール２０は、色温度が異なる複数の光源２を備えた構成でもよい。つまり、光源２は、赤色光源２ａ、緑色光源２ｂ、及び青色光源２ｃに限定されない。この場合、例えば、複数の光源２のうち、第１の光源と、第１の光源と異なる色温度の光を発する場合、第１の光源と第２の光源とを交互に（互い違いで）、色温度を変更してもよい。
【００２４】
センサ３は、照明装置１に設けられ、使用者の移動動作を検知することが可能であり、例えば、人感センサ、画像センサ等である。センサ３は、検知した移動動作していることを示す情報を制御部４に送信する。使用者の移動動作とは、立ち座り、歩行及び寝返りの少なくともいずれかを含む動作であり、胴体が移動することであるが、手、足、頭等だけを動かす行為を含めてもよい。また、立ち座りとは、人が立つ姿勢から座る姿勢に移る動作と、人が座る姿勢から立つ姿勢に移る動作とを含む。なお、使用者によっては、車椅子に座姿勢の状態で移動する場合も考えられるが、この場合、車椅子の移動を歩行とみなす。撮像部が画像センサである場合、撮像した情報は、例えば、動画像であってもよい。
【００２５】
なお、本実施の形態では、照明装置１はセンサ３を一体的に備えているが、センサ３が照明装置１と独立した別体であり、例えば、室内の床面に敷かれたセンサシートであってもよく、使用者の移動動作を検知するセンサであれば公知のセンサを用いてもよい。この場合、センサ３は、移動動作していることを示す情報を、アンテナなどの通信部を介して照明装置１に送信する。なお、一体的に備えるとは、センサ３が有線ケーブルを介して電気的に接続していることを意味しているのではなく、照明装置１に収容された状態で設けられている。
【００２６】
制御部４は、センサ３が検知した使用者が移動動作していることを示す情報を受信すると、視認性を向上させる視認性向上モードに遷移する。視認性向上モードは、光源モジュール２０における複数色の光のうち、光源モジュールが発する光の色を交互に切り替えることで、視認性を向上させるモードである。
【００２７】
例えば、光源モジュール２０が発する光の色を交互に切り替えるとは、一部の色の光を点滅させることで実現してもよい。具体的には、視認性向上モードは、例えば、白色光を構成している、赤色光、緑色光、青色光のうち、一部の色の光である赤色光を１００Ｈｚ未満の周波数で点滅させ、緑色光及び青色光を常時点灯又は１００Ｈｚ以上の周波数で点滅させる。この場合には、光は、白色とシアン色とが交互に見える。光の色を点滅させることで、使用者は、色の対比効果により、人間の視覚特性に影響を及ぼし、色相のコントラストが明確になるように感じる。つまり、視認性向上は、色と色との境界が明確になるように感じることを意味している。また、色の対比効果とは、色相の異なった色が配置された物を視た場合、周囲の色相の影響により、各々の色相が色相環の反対方向に移ったように見える錯覚である。例えば、赤色光、緑色光、青色光のうち、一部の色の光である赤色光を１００Ｈｚ未満の周波数で点滅させた場合、物体の色相が浮き上がり、ある物体と色が異なる他の物体とが明瞭化され、物体の輪郭がくっきりと浮き上がるように見える。
【００２８】
また、光源モジュール２０が発する光の色を交互に切り替える手段は、色温度が異なる複数の光源が発する光を交互に切り替えることで実現してもよい。
【００２９】
制御部４は、タイマ機能を有し、光源モジュール２０が発する光の色を切り替えた際に、切り替えを開始した際に時間を計測し始める。制御部４は、計測開始から所定時間が経過したか否かを判断し、所定時間が経過している場合に、光の切り替えを終了させる。所定時間は、予め設定されている時間であるが、使用者が任意に設定してもよい。また、制御部４は、例えば、操作部６から入力された操作に応じて光源モジュール２０に供給する電流値等を制御するマイクロコンピュータ、プロセッサ、または専用回路によってこれらの動作を実現してもよい。なお、本実施の形態では、光源モジュール２０が発する光の色を交互に切り替える方法は、例えば、赤色光、緑色光、青色光のうち、一部の色の光である赤色光を１００Ｈｚ未満の周波数で点滅させることにより行う。
【００３０】
電源部５は、例えば、電源ボックスである絶縁樹脂製のケースと、当該ケース内に配置された電源回路とを有する。電源回路は、回路基板と、当該回路基板に実装された回路部品とからなる回路ユニットであり、光源モジュール２０を点灯（発光）させるための電力を光源モジュール２０に供給する。電源部５は、例えば、電力系統から供給される電力を、整流、平滑及び降圧等して所定レベルの直流電力に変換し、当該直流電力を光源モジュール２０に供給する。光源モジュール２０は、電源回路から供給される直流電力によって発光する。
【００３１】
電源部５は、制御部４により制御されることで、光源モジュール２０への電力供給をオン及びオフする。例えば、リモコン等の操作部６を介して点灯の操作を受けた場合には、制御部４は、電源部５から電力を光源モジュール２０に供給し、光源モジュール２０を点灯させる。また、操作部６が消灯の操作を受けた場合、制御部４は、電源部５から光源モジュール２０への電力の供給を遮断することで、光源モジュール２０を消灯する。
【００３２】
操作部６は、照明装置１の調光、調色、点灯及び消灯等の操作を行うことが可能なリモコン等の操作端末である。操作部６は、使用者が操作することで、手動又は自動で視認性向上モードに遷移させる。
【００３３】
［動作］
本実施の形態に係る照明装置１の動作について、図２及び図３を用いて説明する。
【００３４】
図２は、本実施の形態に係る照明装置１の動作を示すフローチャートである。図３は、本実施の形態に係る照明装置１を使用者が入室している室内に設けた場合を示すイメージ図である。なお、このフローでは、室内における使用者の人数は、特に制限がないが、図３では、室内に１名の使用者が存在している場合について示している。
【００３５】
図２に示すように、まず、使用者が操作部６を介して、照明装置１の電源をオンすると、照明装置１が点灯する（ステップＳ１）。
【００３６】
次に、制御部４は、視認性向上モードが使用者に指示されているか否かを判断する（ステップＳ２）。視認性向上モードは、使用者が操作部６を介して操作することで指示される。
【００３７】
次に、視認性向上モードが指示されていると、制御部４が判断した場合（ステップＳ２ではＹＥＳ）、制御部４は、センサ３から使用者が移動動作していることを示す情報を受信したか否かを判断する（ステップＳ３）。具体的には、使用者が室内で移動動作を行った場合、センサ３は、その移動動作を検知し、移動動作していることを示す情報を制御部４に送信する。なお、ステップＳ２とステップＳ３とは順番を入れ替えてもよい。
【００３８】
一方、視認性向上モードが指示されていないと、制御部４が判断した場合（ステップＳ２ではＮＯ）、通常の点灯モードであると判断され、ステップＳ２の判断を繰り返す。
【００３９】
次に、制御部４は、センサ３から使用者が移動動作していることを示す情報を受信した場合（ステップＳ３ではＹＥＳ）、センサ３が使用者の移動動作を検知したと判断し、光源モジュール２０における、一部の色の光を点滅するように制御する（ステップＳ４：視認性向上モード）。
【００４０】
一方、制御部４は、センサ３から使用者が移動動作していることを示す情報を受信しない場合（ステップＳ３ではＮＯ）、ステップＳ３の判断を繰り返す。
【００４１】
次に、制御部４は、点滅を開始してから所定時間が経過したか否かを判断する（ステップＳ５）。
【００４２】
次に、制御部４は、点滅を開始してから所定時間が経過したと判断した場合（ステップＳ５ではＹＥＳ）、点滅している色の光について、点滅を終了するように制御する。そして、ステップＳ２に戻る。
【００４３】
一方、制御部４は、点滅を開始してから所定時間が経過していないと判断した場合（ステップＳ５ではＮＯ）、ステップＳ３に戻る。
【００４４】
なお、このフローでは、ステップの終了が記載されていないが、使用者が操作部６を介して照明装置１を消灯する操作により、ステップの終了としてもよい。
【００４５】
［作用効果］
次に、本実施の形態における照明装置１の作用効果について説明する。
【００４６】
上述したように、本実施の形態に係る照明装置１は、使用者が移動動作していることを示す情報を取得するセンサ３から、情報を受信する。そして、照明装置１は、異なる色の光を発する光源モジュール２０と、センサ３を介して情報を受信すると、光源モジュール２０が発する光の色を交互に切り替えることで、視認性を向上させる視認性向上モードに遷移する制御部４とを備える。また、本実施の形態に係る照明装置１において、光源モジュール２０は、それぞれが異なる色の光を発する複数の光源２を有する。そして、制御部４は、さらに、センサ３を介して情報を受信すると、各々の光源２が発する光の色のうち、一部の色の光を点滅させることで、視認性を向上させる視認性向上モードに遷移する。
【００４７】
これらの構成によれば、使用者の移動動作をセンサ３が検知すると、視認性を向上させる視認性向上モードに遷移する。このため、人間の生理的な視覚特性により、使用者は、物体における色と色との境界が明確になるように感じる。
【００４８】
したがって、使用者の視認性を向上することができる。
【００４９】
また、本実施の形態に係る照明装置１は、各々の光源２が発する光の色のうち、一部の色の光が点滅する周波数は、１００Ｈｚ未満である。
【００５０】
この構成によれば、使用者が照明装置１における点滅を感知することができるため、使用者の視認性を向上することができる。
【００５１】
また、本実施の形態に係る照明装置１において、使用者の移動動作は、立ち座り、歩行及び寝返りの少なくともいずれかを含む。
【００５２】
この構成によれば、使用者が移動動作を行う際に、使用者の視認性を向上させることができる。
【００５３】
特に、高齢者や肢体不自由者等の使用者が移動動作を行う際に、視認性向上モードに遷移することで、このような使用者の視認性が向上するため、転倒等を防止することができる。
【００５４】
また、本実施の形態に係る照明装置１は、使用者の指示に基づいて、制御部４は、さらに、視認性向上モードに遷移する。
【００５５】
この構成によれば、使用者が照明装置１の操作部６を操作することで、手動又は自動で視認性向上モードに遷移させることができるため、この照明装置１では自由度が高い。
【００５６】
また、本実施の形態に係る照明装置１は、センサ３を一体的に備える。
【００５７】
この構成によれば、照明装置１を設置するだけで、使用者の視認性を向上することができる環境となる。このため、照明装置１とセンサ３とが別体である場合に比べ、利便性が高い。
【００５８】
また、本実施の形態に係る照明装置１において、センサ３は、撮像することによって情報を取得する画像センサを含んでいてもよい。
【００５９】
この構成によれば、撮像することによって取得した情報により使用者の移動動作をより正確に検知することができる。
【００６０】
（実施の形態２）
以下、本実施の形態に係る照明システム２００について説明する。
【００６１】
［構成］
本実施の形態に係る照明システム２００の構成について、図４を用いて説明する。
【００６２】
図４は、本実施の形態に係る照明システム２００を示すブロック図である。
【００６３】
本実施の形態では、照明装置２１０にセンサ３が設けられておらず、照明装置２１０とは別体のセンサ１３０を有する通信機器１１０（取得部の一例）を用いる点で、実施の形態１に対して相違する。
【００６４】
本実施の形態において、照明装置２１０における他の構成は、実施の形態１の照明装置２１０と同様であり、同一の構成については同一の符号を付して構成に関する詳細な説明を省略する。
【００６５】
図４に示すように、照明システム２００は、通信機器１１０と、照明装置２１０とを備える。
【００６６】
通信機器１１０は、例えば、スマートフォン、タブレット型コンピュータ、ボイスレコーダ等である。通信機器１１０は、センサ１３０と、機器側制御部１１１と、機器側通信部１１２と、表示部１１３と、機器側電源部１１５と、機器側記憶部１１６とを有している。
【００６７】
センサ１３０は、使用者の移動動作を検知することが可能であり、例えば、人感センサ、画像センサ等である。センサ１３０は、実施の形態１のセンサ３と同一であってもよい。センサ１３０は、移動動作していることを示す情報を制御部４に送信する。
【００６８】
機器側制御部１１１は、表示部１１３を介して入力された操作に関する情報、機器側記憶部１１６に格納されているユーザ情報、使用者が移動動作していることを示す情報等を、機器側通信部１１２を介して照明装置２１０に送信する。機器側制御部１１１は、表示部１１３及び機器側記憶部１１６などを制御するための制御回路などから構成されている。機器側制御部１１１は、プロセッサ、またはマイクロコンピュータなどによって構成されてもよい。
【００６９】
機器側通信部１１２は、通信機器１１０が照明装置２１０等と無線通信を行うアンテナである。例えば、機器側通信部１１２は、ＺｉｇＢｅｅ（登録商標）、Ｗｉ−Ｆｉ（登録商標）、ＢｌｕｅＴｏｏｔｈ（登録商標）などの近距離無線通信機能を有する装置である。機器側通信部１１２は、ユーザ情報を照明装置２１０に送信する。
【００７０】
表示部１１３は、液晶ディスプレイ、ＬＥＤディスプレイ、有機ＥＬディスプレイ等のモニタである。表示部１１３は、照明装置２１０を操作することが可能な静電容量式のタッチパネルを有していてもよい。この場合、表示部１１３には、照明装置２１０の操作を促す画面が表示されてもよい。
【００７１】
機器側電源部１１５は、一次電池や二次電池であることが好ましいが、パーソナルコンピュータ等の外部から供給される装置であってもよい。機器側電源部１１５は、機器側制御部１１１に電気的に接続され、機器側制御部１１１を介して表示部１１３、機器側記憶部１１６等の各部に電力を供給する。
【００７２】
機器側記憶部１１６は、機器側制御部１１１にプロセッサまたはマイクロコンピュータなどが含まれる場合に、機器側制御部１１１が実行する制御プログラムが記憶される装置である。機器側記憶部１１６は、例えば、半導体メモリによって実現される。機器側記憶部１１６には、使用者ごとのユーザ情報が格納されている。
【００７３】
照明装置２１０は、光源モジュール２０、制御部４、電源部５及び操作部６の他に、通信部７と、記憶部８とを備えている。
【００７４】
制御部４は、通信機器１１０を所持した複数人の使用者が室内に存在している場合に、通信機器１１０からユーザ情報を取得する。ユーザ情報は、使用者を識別する情報であり、例えば、氏名、年齢、肩書（祖父、祖母、父、母、子等）等である。制御部４は、ユーザ情報に基づいて個々に優先度を割り当て、記憶部８に格納する。制御部４は、優先度が最も高い使用者のユーザ情報に基づいて、光源モジュール２０が発する光の色を交互に切り替えるように制御する。本実施の形態でも、各々の光源２が発する光の色のうち、一部の色の光を点滅させる。
【００７５】
優先度の設定は、例えば、年齢が高いほど優先度を上げてもよく、年齢が所定年齢（例えば乳幼児）よりも低い場合、優先度の設定が行われなくてもよい。また、この優先度は、自動で割り当てるだけでなく、使用者の操作により任意に設定することができてもよい。
【００７６】
使用者が室内に存在している場合で、通信機器１１０を所持した他の使用者が室内に入室した場合に、制御部４は、通信部７を介して、通信機器１１０からユーザ情報を取得する。この際に、制御部４は、優先度の設定を行ってもよい。
【００７７】
通信部７は、照明装置２１０が通信機器１１０等と無線通信を行うアンテナである。例えば、通信部７は、ＺｉｇＢｅｅ（登録商標）、Ｗｉ−Ｆｉ（登録商標）、ＢｌｕｅＴｏｏｔｈ（登録商標）などの近距離無線通信機能を有する装置である。通信部７は、通信機器１１０から送信された情報を受信し、制御部４に送信する。
【００７８】
記憶部８は、制御部４により、通信機器１１０から送られてきたユーザ情報と対応する優先度を格納する装置である。記憶部８は、例えば、半導体メモリによって実現される。
【００７９】
［動作］
本実施の形態に係る照明装置２１０の動作について、図５及び図６を用いて説明する。
【００８０】
図５は、本実施の形態に係る照明システム２００の動作を示すフローチャートである。図６は、本実施の形態に係る照明システム２００を、使用者が入室している室内に設けた場合を示すイメージ図である。
【００８１】
図６に示すように、ここでは、通信機器１１０を所持した複数人の使用者が室内に存在している場合である。なお、室内に途中から入室した場合であってもよい。そして、各々の使用者は、通信機器１１０における専用のアプリーションを起動させて、通信機器１１０と照明装置２１０とが通信を行うことができる状態にしておく。
【００８２】
図５に示すように、まず、ステップＳ１、Ｓ２において、実施の形態１と同様の動作が行われる。
【００８３】
次に、制御部４は、通信部７を介し、通信機器１１０からユーザ情報を受信する（ステップＳ２１）。制御部４は、所得したユーザ情報から優先度を割り当て、ユーザ情報ごとに割り当てた優先度を記憶部８に格納する。次に、ステップＳ３において、実施の形態１と同様の動作が行われる。
【００８４】
次に、制御部４は、センサ１３０から使用者が移動動作していることを示す情報を受信した場合（ステップＳ３ではＹＥＳ）、各々の通信機器１１０から得た複数のユーザ情報から、最も優先度が高い通信機器１１０（使用者）を選択する（ステップＳ２２）。
【００８５】
次に、移動動作をした使用者のユーザ情報が、最も優先度が高い使用者であると、制御部４が判断した場合（ステップＳ２２ではＹＥＳ）、ステップＳ４へ進む。一方、移動動作をした使用者のユーザ情報が、最も優先度が高い使用者ではないと、制御部４が判断した場合（ステップＳ２２ではＮＯ）、ステップＳ３に戻る。次に、ステップＳ４〜Ｓ６において、実施の形態１と同様の動作が行われる。
【００８６】
なお、使用者が室内に存在している場合で、通信機器１１０を所持した他の使用者が室内に入室した場合では、制御部４は、他の使用者が所持している通信機器１１０から、ユーザ情報を所得し、ステップＳ３から同様のフローが始まる。当然のことながら、通信機器１１０を所持する各々の使用者が室内に存在している場合において、一部の使用者が退室した場合（通信機器１１０と照明装置２１０とが通信できなくなった場合）には、退室した使用者については移動動作が検知されなくなる。
【００８７】
［作用効果］
次に、本実施の形態における照明システム２００の作用効果について説明する。
【００８８】
上述したように、本実施の形態に係る照明システム２００は、照明装置２１０と、センサ１３０とを備える。そして、センサ１３０は、照明装置２１０とは独立した別体の装置である。
【００８９】
この構成においても実施の形態１の照明装置２１０と同様の作用効果を奏する。
【００９０】
また、本実施の形態に係る照明装置２１０において、センサ１３０は、照明装置２１０と通信を行う通信機器１１０である。また、通信機器１１０は、使用者に関するユーザ情報を照明装置２１０に送信する。そして、照明装置２１０の制御部４は、ユーザ情報に基づいて、各々の光源２が発する光の色のうち、一部の色の光を点滅させるように制御する。
【００９１】
この構成によれば、制御部４は、ユーザ情報に基づいて、一部の色の光を点滅させるように制御するため、使用者に適した照明環境を提供することができる。このため、使用者が移動動作を行う際に、視認性が向上すれば、危険回避を行い易くなり、物体への衝突や転倒等を防止することができる。
【００９２】
また、本実施の形態に係る照明装置２１０は、ユーザ情報に基づいて、使用者ごとに優先度が設定されている場合であって、通信機器１１０と通信可能な室内に、使用者が複数名存在する場合、制御部４は、優先度が最も高い使用者のユーザ情報に基づいて、各々の光源２が発する光の色のうち、一部の色の光を点滅させるように制御する。
【００９３】
この構成によれば、制御部４は、優先度が最も高い使用者のユーザ情報に基づいて、各々の光源２が発する光の色のうち、一部の色の光を点滅させるように制御する。このため、室内に複数人が存在する場合、優先度が最も高い使用者以外の使用者が移動動作を行っても、制御部４は、一部の色の光を点滅させない。その結果、優先度が最も高い使用者に適した照明環境を提供することができる。
【００９４】
例えば、高齢者が在室している室内に子供が入室しても、高齢者の意に反した光を点滅が行われないため、高齢者は、チラツキによる違和感を覚え難い。
【００９５】
また、本実施の形態における照明システム２００の他の作用効果についても、実施の形態１と同様の作用効果を奏する。
【００９６】
（その他変形例等）
以上、本発明について、実施の形態１、２に基づいて説明したが、本発明は、上記実施の形態１、２に限定されるものではない。
【００９７】
例えば、上記実施の形態において、光源の光の色だけでなく、各々の光源が発する光の色のうち、光源が発する輝度を変えるように点滅させてもよい。
【００９８】
また、上記実施の形態１、２において、取得部と照明装置とは無線通信を行っているが、これに限定されず、有線通信を行っていてもよい。
【００９９】
以上、本発明の一つまたは複数の態様について、実施の形態１、２に基づいて説明したが、本発明は、この実施の形態１、２に限定されるものではない。本発明の趣旨を逸脱しない限り、当業者が思いつく各種変形を実施の形態１、２に施したものや、異なる実施の形態における構成要素を組み合わせて構築される形態も、本発明の一つまたは複数の態様の範囲内に含まれてもよい。
【符号の説明】
【０１００】
１、２１０  照明装置
２  光源（２ａ…赤色光源、２ｂ…緑色光源、２ｃ…青色光源）
３、１３０  センサ（取得部）
４  制御部
２０  光源モジュール
１００、２００  照明システム
１１０  通信機器（取得部）
【図１】
2018032527.tif 000003
【図２】
2018032527.tif 000004
【図３】
2018032527.tif 000005
【図４】
2018032527.tif 000006
【図５】
2018032527.tif 000007
【図６】
2018032527.tif 000008